(57)【要約】【課題】チューブ本体に対してキャップが緩むことを防止することができ、製造時にチューブ本体を金型から回転させて取り出すことが容易なチューブ容器を提供すること。【解決手段】チューブ容器１は、チューブ本体２とキャップ３とを備え、キャップ３をチューブ本体２の口部４に螺合して、該口部４の開口を閉塞する。チューブ本体２の口部４は、内周側に突出したチューブ側係止突起４ｃを有する。キャップ３は、口部４に当接して開口を閉塞可能な天井壁３ｂと、天井壁３ｂに設けられ、チューブ側係止突起４ｃに対して、キャップ３がチューブ本体２から離反する方向に係止可能なキャップ側係止部３ｄとを備えている。【選択図】図６
2015193395.tif 000002
【特許請求の範囲】
【請求項１】
外周に雄ねじが形成された口部を有するチューブ本体と、前記雄ねじに螺合する雌ねじが内周に形成されたキャップとを備え、前記キャップを前記チューブ本体の口部に螺合して、該口部の開口を閉塞するチューブ容器において、
前記チューブ本体の口部は、内周側に突出したチューブ側係止突起を有し、
前記キャップは、前記口部に当接して前記開口を閉塞可能な天井壁と、該天井壁に設けられ、前記チューブ側係止突起に対して、前記キャップが前記チューブ本体から離反する方向に係止可能なキャップ側係止部とを有することを特徴とするチューブ容器。
【請求項２】
前記チューブ側係止突起は、前記口部の先端で環状に設けられていることを特徴とする請求項１に記載のチューブ容器。
【請求項３】
前記キャップ側係止部は、前記天井壁に設けられた円筒状壁部と、該円筒状壁部の先端から外周側に突出した環状のキャップ側係止突起とを有することを特徴とする請求項１又は２に記載のチューブ容器。
【請求項４】
前記キャップを前記チューブ本体の口部に螺合させるために必要な前記キャップの回転角度が３６０°以下であることを特徴とする請求項１から３の何れか１項に記載のチューブ容器。
【請求項５】
前記チューブ側係止突起と前記キャップ側係止突起とが、軸方向に沿って見た場合に重複可能な半径方向寸法が０．１ｍｍ〜０．５ｍｍであることを特徴とする請求項３に記載のチューブ容器。
【請求項６】
前記チューブ本体に充填される内容物が、半固形状であることを特徴とする請求項１から５の何れか１項に記載のチューブ容器。
【発明の詳細な説明】
【技術分野】
【０００１】
本発明は、例えば歯磨き粉、薬剤、接着剤、食品等が充填されるチューブ容器に関する。
【背景技術】
【０００２】
従来、歯磨き粉、薬剤、接着剤、食品などの内容物が充填されたチューブ容器が知られている。これらのチューブ容器は、外周に雄ねじが形成された口部を有するチューブ本体と、前記雄ねじに螺合する雌ねじが内周に形成されたキャップとを備え、前記キャップを前記チューブ本体の口部に螺合して、口部の開口を閉塞したものが販売されている。
【０００３】
このようなチューブ容器には、キャップの緩み止め手段が設けられているものがある。
【０００４】
例えば、特許文献１に記載のチューブ容器は、チューブ本体の肩部に設けられた回り止め部（ストッパ）と、キャップの下端部に設けられ前記回り止め部と係合する係合突起とを有する。この回り止め部は、外周側に突出する大突起及び小突起と、その間に形成される間隙とで構成されている。キャップを締めていくと、キャップの係合突起が、回り止め部の小突起を乗り越えて、大突起と小突起の間の間隙に配置される。この状態で、小突起との係合により、キャップの緩みが防止される。
【先行技術文献】
【特許文献】
【０００５】
【特許文献１】特開２００８−２６５８６７号公報
【発明の概要】
【発明が解決しようとする課題】
【０００６】
しかしながら、特許文献１に記載のチューブ容器は、その製造工程でチューブ本体を成形した後に、金型の雌型からチューブ本体を取り出すことが困難な場合がある。これは次のような理由による。金型の雌型からチューブ本体を取り出す場合、チューブ本体を回転させながら口部の外周部に形成された螺子を外さなければならない。しかし、回り止め部の大突起や小突起が外周側に突出していると、雌型からチューブ本体を回転させることが困難になる。この問題を解決するためには、例えば、金型を分割可能なものとすることが考えられるが、金型の製造コストが増大する。
【０００７】
本発明は、上記事情に鑑み、チューブ本体に対してキャップが緩むことを防止することができ、製造時にチューブ本体を金型から回転させて取り出すことが容易なチューブ容器を提供することを課題とする。
【課題を解決するための手段】
【０００８】
前記課題を解決するために創案された本発明は、外周に雄ねじが形成された口部を有するチューブ本体と、前記雄ねじに螺合する雌ねじが内周に形成されたキャップとを備え、前記キャップを前記チューブ本体の口部に螺合して、該口部の開口を閉塞するチューブ容器において、前記チューブ本体の口部は、内周側に突出したチューブ側係止突起を有し、前記キャップは、前記口部に当接して前記開口を閉塞可能な天井壁と、該天井壁に設けられ、前記チューブ側係止突起に対して、前記キャップが前記チューブ本体から離反する方向に係止可能なキャップ側係止部とを有することを特徴とする。
【０００９】
この構成であれば、チューブ側係止突起とキャップ側係止部とが、キャップがチューブ本体から離反する方向に係止可能なので、チューブ本体に対してキャップが緩むことを防止できる。これによって、チューブ本体からキャップが外れることを防止することができる。
【００１０】
そして、この構成であれば、チューブ側係止突起が内周側に突出し外周側に突出するものではない。従って、製造時に金型の雌型からチューブ本体を取り出す場合、チューブ本体を回転させて、チューブ本体の口部の外周部に形成された雄ねじを回転させることによって、チューブ本体を容易に取り出すことができる。従って、分割型の金型等を必要とはしないので、製造コストを増大させることはない。また、上述の特許文献１のような回り止め部を有するチューブ容器においては、キャップの係合突起が回り止め部の小突起を乗り越えて、大突起と小突起の間の間隙に配置されると、回り止め部が障害となりそれ以上螺合することができないが、本発明のチューブ容器においては、キャップ側係止部のキャップ側係止突起が、チューブ側係止突起に対して、キャップがチューブ本体から離反する方向に係止した後であっても、更にキャップを締めることも可能である。
【００１１】
更に、この構成であれば、チューブ側係止突起とキャップ側係止部とが係止状態となる寸前に、チューブ側係止突起の周辺部又はキャップ側係止部の一部が弾性変形する。そして、チューブ側係止突起とキャップ側係止部とが相互に乗り越えると、弾性変形していた部位が復元し、クリック感が得られる。このクリック感によって使用者は、キャップが締まったことを認識することができる。
【００１２】
上記の構成において、前記チューブ側係止突起は、前記口部の先端で環状に設けられていてもよい。
【００１３】
この構成であれば、チューブ側係止突起が環状に設けられているので、チューブ側係止突起とキャップ側係止突起との間から内容物が漏れることを抑制することができる。
【００１４】
上記の何れかの構成において、前記キャップ側係止部は、前記天井壁に設けられた円筒状壁部と、該円筒状壁部の先端から外周側に突出した環状のキャップ側係止突起とを有してもよい。
【００１５】
この構成であれば、キャップ側係止突起が環状に設けられているので、チューブ側係止突起がキャップ側係止突起を乗り越える際に良好なクリック感が得られる。また、チューブ側係止突起とキャップ側係止突起との間から内容物が漏れることを抑制することができる。そして、この構成において、前記チューブ側係止突起と前記キャップ側係止突起とが、軸方向に沿って見た場合に重複可能な半径方向寸法が０．１ｍｍ〜０．５ｍｍであれば、良好なクリック感を確実に得ることができる。
【００１６】
ところで、キャップを螺合する際にキャップを回転させる角度が大きい場合、開閉に要する回転数が増え、特に手指の動きが衰えた高齢者にとっては、キャップの開閉が困難になるため、キャップを回転させる角度が小さいチューブ容器が求められている。しかしながら、当該角度を小さくした場合、キャップとチューブ本体とが外れ易くなり、例えば、製品の運搬中などにキャップが外れ、内容物が外に漏れ出してしまう場合がある。
【００１７】
これに対し、上記の何れかの構成において、前記キャップを前記チューブ本体の口部に螺合させるために必要な前記キャップの回転角度が３６０°以下であってもよい。この構成であれば、キャップを回転させる角度が３６０°以下であり小さい。また、当該キャップを回転させる角度は、キャップを容易に螺合できるという観点から、２７０°以下が好ましく、１８０°以下がより好ましく、９０°以下が更に好ましい。一方で、上述のように、チューブ側係止突起とキャップ側係止部とが、キャップがチューブ本体から離反する方向に係止可能なので、チューブ本体に対してキャップが緩むことを防止し、これによって、チューブ本体からキャップが外れることを防止することができる。
【００１８】
また、上記の何れかの構成において、前記チューブ本体に充填される内容物が、半固形状である場合、内容物が液体の場合と比較して粘度が高く、何ら手段を講じなければ、チューブ本体の口部から、内容物を吐出させた後に、口部の開口部周辺に内容物が残り易い。そして、この後に、キャップを締めると、キャップの天井壁に内容物が付着し易い。
【００１９】
これに対し、本発明では、チューブ側係止突起によって、チューブ本体の口部から、内容物を吐出させた後に、口部の開口部周辺に内容物が残ることを抑制することが可能であり、これにより、内容物がキャップの天井壁に付着することを抑制することができる。従って、キャップを清潔に保つことができる。
【発明の効果】
【００２０】
本発明によれば、チューブ本体に対してキャップが緩むことを防止することができ、製造時にチューブ本体を金型から回転させて取り出すことが容易なチューブ容器を提供することができる。
【図面の簡単な説明】
【００２１】
【図１】本発明の実施形態に係るチューブ容器の概略斜視図である。
【図２】本発明の実施形態に係るチューブ本体の縦断面図である。
【図３】本発明の実施形態に係るチューブ本体の口部を示す図で、（Ａ）が側面図、（Ｂ）が（Ａ）の左側から見た図、（Ｃ）が（Ａ）の右側から見た図である。
【図４】本発明の実施形態に係るキャップの縦断面図である。
【図５】本発明の実施形態に係るキャップを示す図で、（Ａ）が側面図、（Ｂ）が（Ａ）の左側から見た図、（Ｃ）が（Ａ）の右側から見た図である。
【図６】（Ａ）が本発明の実施形態に係るチューブ本体の口部とキャップの螺合が完了した状態を示す縦断面図、（Ｂ）は（Ａ）のＸ部の拡大図である。
【発明を実施するための形態】
【００２２】
以下、本発明の実施形態を、図面を参照しながら説明する。
【００２３】
図１は、本発明の実施形態に係るチューブ容器の概略斜視図である。この実施形態のチューブ容器１は、チューブ本体２とキャップ３とを備える。この実施形態では、チューブ本体２に充填される内容物は、半固形状であり、例えば、歯磨き粉、薬剤、接着剤、食品等が挙げられる。本実施形態のチューブ容器１は、特に、粘度の高い半固形状のもの、例えば入れ歯安定剤を充填するのに好適である。
【００２４】
図２に示すように、チューブ本体２は、円筒状の口部４と、口部４の下端と接続する円筒状の胴部５を有する。口部４は、熱可塑性樹脂で成形されており、円筒状の胴部５と溶融結合される。口部４を構成する熱可塑性樹脂は、例えば低密度ポリエチレン樹脂、直鎖状低密度ポリエチレン樹脂、高圧法低密度ポリエチレン樹脂、中密度ポリエチレン樹脂、上記の樹脂を高密度ポリエチレン樹脂にブレンドした樹脂等を使用できる。上記の熱融着性樹脂の中で、直鎖状低密度ポリエチレン樹脂を用いることが、溶融結合される点で好ましい。
【００２５】
図２に示すように、口部４は、円筒状の円筒部４ａと、円筒部４ａの一端部（先端４ｂ）から内周側に突出するチューブ側係止突起４ｃと、円筒部４ａの他端部から胴部５まで延びる接続部４ｄとを有する。図３に示すように、円筒部４ａの外周部には、雄ねじ４ｅが形成されている。雄ねじ４ｅは、円筒部４ａの外周部に周方向に均等に３条のねじが形成されている。
【００２６】
図２に示すように、チューブ側係止突起４ｃは、口部４の先端４ｂから内側へ環状に延びるように形成されている。換言すれば、チューブ側係止突起４ｃは、口部４の先端４ｂの内周側に、周方向に連続して形成されている。また、チューブ側係止突起４ｃは、円筒部４ａの先端４ｂから半径方向に沿って内側に延びている。チューブ側係止突起４ｃは、軸方向寸法（厚み）が一定に形成されている。チューブ側係止突起４ｃは、半径方向の端面４ｆが円筒面状に形成されている。
【００２７】
胴部５は、その一端が、口部４の接続部４ｄに接続されており、他端が閉塞されている。胴部５は、熱可塑性樹脂フィルム層／金属箔層等がドライラミネートにより接着積層されたラミネート原反によって形成されている。
【００２８】
図４，５に示すように、キャップ３は、円筒状の筒壁３ａと、筒壁３ａの内部に形成され筒壁３ａの内部空間を区画する天井壁３ｂと、天井壁３ｂから筒壁３ａの開口部３ｃ側に延びるキャップ側係止部３ｄとを有する。筒壁３ａの内周部のうち天井壁３ｂより開口部３ｃ側には、口部４の雄ねじ４ｅに螺合する雌ねじ３ｅが形成されている。雌ねじ３ｅは、雄ねじ４ｅと対応するように筒壁３ａの内周部に周方向に均等に３条のねじが形成されている。後述のように、天井壁３ｂは、口部４に当接して開口４ｇを閉塞することが可能である。また、天井壁３ｂには、開口部３ｃ側に突出するコンタクトリング３ｆが形成されている。このコンタクトリング３ｆは、天井壁３ｂに周方向に沿って連続して形成されている。キャップ３の材質は、弾性変形可能なものであれば、特に限定されず、例えば熱可塑性樹脂等である。
【００２９】
キャップ側係止部３ｄは、天井壁３ｂから筒壁３ａの軸方向に沿って開口部３ｃ側に延びる円筒状壁部３ｇと、円筒状壁部３ｇの一端部（先端３ｈ）から外周側に突出したキャップ側係止突起３ｉとを有する。キャップ側係止突起３ｉは、円筒状壁部３ｇの先端３ｈに外側に向かって環状に設けられている。換言すれば、キャップ側係止突起３ｉは、円筒状壁部３ｇの先端３ｈの外周部に、周方向に連続して外方に延びるように形成されている。後述のように、キャップ側係止突起３ｉは、チューブ側係止突起４ｃに対してキャップ３がチューブ本体２から離反する方向に係止する。
【００３０】
図４に示すように、円筒状壁部３ｇは、キャップ側係止突起３ｉが形成されていない非形成部の半径方向寸法（厚み）は、一定に形成されている。また、円筒状壁部３ｇは、キャップ側係止突起３ｉが形成されていない非形成部の半径方向寸法（厚み）が、円筒部４ａにおける雄ねじ４ｅの非形成部の半径方向寸法（厚み）に比較して、小さく形成されている。
【００３１】
次に、チューブ容器１の使用方法について説明する。チューブ容器１は、キャップ３の雌ねじ３ｅをチューブ本体２の口部４の雄ねじ４ｅに螺合させる。すると、図６に示すように、キャップ３の天井壁３ｂのコンタクトリング３ｆが、口部４のチューブ側係止突起４ｃに当接して、キャップ３の天井壁３ｂが口部４の開口４ｇを閉塞する。また、このときに、キャップ側係止部３ｄのキャップ側係止突起３ｉが、チューブ側係止突起４ｃに対して、キャップ３がチューブ本体２から離反する方向に係止する。
【００３２】
詳述すれば、チューブ容器１は、キャップ３の開口部３ｃをチューブ本体２の口部４の先端４ｂに被せて、キャップ３の雌ねじ３ｅをチューブ本体２の口部４の雄ねじ４ｅに螺合させていくと、キャップ３のキャップ側係止突起３ｉがチューブ本体２の口部４に接近する。そして、キャップ側係止突起３ｉが、チューブ側係止突起４ｃに当接する。そして、キャップ３を螺合させると、キャップ側係止突起３ｉとチューブ側係止突起４ｃとが当接し、キャップ側係止部３ｄにおけるキャップ側係止突起３ｉが形成されていない非形成部が弾性変形することで、キャップ側係止突起３ｉが内周側に移動する。更に、キャップ３を締めていくと、キャップ側係止突起３ｉがチューブ側係止突起４ｃを乗り越え、キャップ側係止部３ｄが元の形状に復元する。この時に、図６に示すように、キャップ側係止部３ｄのキャップ側係止突起３ｉが、チューブ側係止突起４ｃに対してキャップ３がチューブ本体２から離反する方向に係止する。そして、ほぼ同時に、図６に示すように、天井壁３ｂのコンタクトリング３ｆが、口部４のチューブ側係止突起４ｃの上面に当接して、キャップ３の天井壁３ｂが口部４の開口４ｇを閉塞する。キャップ３の天井壁３ｂが口部４の開口４ｇを閉塞した時に、キャップ３の雌ねじ３ｅのチューブ本体２の口部４の雄ねじ４ｅへの螺合が完了する。
【００３３】
このように、本実施形態では、キャップ側係止部３ｄがチューブ側係止突起４ｃに係止するときと、天井壁３ｂが口部４に当接するときとがほぼ同時である。しかし、本発明は、これに限定されるものではなく、例えば、キャップ側係止部３ｄがチューブ側係止突起４ｃに係止した時に、口部４と天井壁３ｂが離隔していてもよい。この場合には、キャップ側係止部３ｄがチューブ側係止突起４ｃに係止した後に、天井壁３ｂが口部４に当接する。
【００３４】
ここで、キャップ３をチューブ本体２の口部４へ螺合させて、キャップ３が口部４の開口４ｇを閉塞するために必要なキャップ３の回転角度は、例えば３６０°以下であり、本実施形態では９０°である。また、キャップ３をチューブ本体２の口部４へ螺合させて、キャップ３が口部４の開口４ｇを閉塞するために必要なキャップ３の回転角度は、例えば４５°以上である。このキャップ３の回転角度が、３６０°を越えた場合は、高齢者等の使用者にとって、キャップ３の開閉が困難になる可能性があり、このキャップ３の回転角度が、４５°未満の場合には、キャップ３が口部４の開口４ｇを閉塞した状態からキャップ３がチューブ本体２の口部４から外れる可能性がある。このために円筒部４ａの外周部に形成された雄ねじ４ｅは、２条以上のねじで形成されていることが望ましく、本実施形態においては、３条のねじが形成されている。
【００３５】
また、図６（Ｂ）に拡大して示すように、本実施形態では、円筒状壁部３ｇの最も先端の部分は、丸められており、この丸められた面とキャップ側係止突起３ｉの外周部は滑らかにつながっている。そして、キャップ側係止突起３ｉの外周部は、円筒状壁部３ｇの先端から天井壁３ｂ側に向かって、緩やかに拡大しその頂点から緩やかに縮小し、円筒状壁部３ｇの外周面へと滑らかにつながる。本実施形態では、チューブ側係止突起４ｃとキャップ側係止突起３ｉとが係止するとは、キャップ側係止突起３ｉの頂点がチューブ側係止突起４ｃを越えることをいう。
【００３６】
図６（Ｂ）に示すように、軸方向に沿って見た場合に、チューブ側係止突起４ｃとキャップ側係止突起３ｉとで重複（オーバーラップ）する部位の半径方向寸法Ｄは、例えば０．１ｍｍ〜０．５ｍｍである。半径方向寸法Ｄが０．１ｍｍ未満の場合は、チューブ側係止突起３ｉがキャップ側係止部４ｃを乗り越える際のクリック感が不十分となる可能性があり、半径方向寸法Ｄが０．５ｍｍを越える場合は、キャップ側係止突起３ｉの高さが高くなって、キャップ側係止突起３ｉが、チューブ側係止突起４ｃを乗り越えることが難しくなる可能性がある。
【００３７】
上記のように構成されたチューブ容器１は、以下の効果を享受できる。
【００３８】
本実施形態のチューブ容器１は、チューブ側係止突起４ｃとキャップ側係止突起３ｉとが、キャップ３がチューブ本体２から離反する方向に係止可能なので、チューブ本体２に対してキャップ３が緩むことを防止する。これによって、チューブ本体２からキャップ３が外れることを防止することができる。特に、上述のようにキャップ３が口部４の開口４ｇを閉塞するために必要なキャップ３の回転角度が小さい場合であっても、キャップ３の緩みを効果的に防止することができる。
【００３９】
本実施形態のチューブ本体２の口部４では、チューブ側係止突起４ｃが、内周側に突出し、外周側に突出するものではない。すなわち、口部４には外周側に突出するものが無い。従って、製造時に金型の雌型からチューブ本体２を取り出すときに、チューブ本体２を回転させて、チューブ本体２の口部４の雄ねじ４ｅを回転させることによって、チューブ本体２を取り出すことができる。従って、分割型の金型等を必要とはしないので、製造コストを増大させることはない。
【００４０】
また、本実施形態のチューブ容器１は、チューブ側係止突起４ｃとキャップ側係止突起３ｉが係止状態となる寸前に、円筒状壁部３ｇにおけるキャップ側係止突起３ｉが形成されていない非形成部が弾性変形する。そして、キャップ側係止突起３ｉがチューブ側係止突起４ｃを乗り越えると、円筒状壁部３ｇにおけるキャップ側係止突起３ｉが形成されていない非形成部が、復元し、乗り越える際にクリック感が得られる。このクリック感によって、使用者はキャップ３が締まったことを認識することができる。
【００４１】
本発明は、上記実施形態に限定されるものではなく、その技術的思想の範囲で、様々な変形が可能である。例えば、上記実施形態では、チューブ側係止突起４ｃとキャップ側係止突起３ｉが環状であったが、これらは、周方向に断続して設けられてもよい。ただし、良好なクリック感が得られ、且つ内容物の漏れやキャップの緩みを防止する効果が高まることから、チューブ側係止突起４ｃとキャップ側係止突起３ｉの少なくとも一方が環状であることが好ましく、両方が環状であることがより好ましい。また、上記実施形態では、チューブ側係止突起４ｃとキャップ側係止突起３ｉが、それぞれ、口部４と円筒状壁部３ｇの先端４ｂ，３ｈに設けられていたが、それぞれ、口部４と円筒状壁部３ｇの軸方向中間に設けられていてもよい。また、上記実施形態では、チューブ側係止突起４ｃの面４ｈと端面４ｆがなす頂点４ｉと、キャップ側係止突起において、半径方向に対して傾斜した面とが、当接して係止していたが、係止する部位は、半径方向に沿った面又は曲面であってもよい。ただし、良好なクリック感が得られ、且つ内容物の漏れやキャップの緩みを防止する効果が高まるため、上記実施形態のように係止する方が好ましい。
【符号の説明】
【００４２】
１      チューブ容器
２      チューブ本体
３      キャップ
３ｂ    天井壁
３ｄ    キャップ側係止部
３ｅ    雌ねじ
３ｇ    円筒状壁部
３ｈ    先端
３ｉ    キャップ側係止突起
４      口部
４ｂ    先端
４ｃ    チューブ側係止突起
４ｅ    雄ねじ
４ｇ    開口
Ｄ      半径方向寸法
【図１】
2015193395.tif 000003
【図２】
2015193395.tif 000004
【図３】
2015193395.tif 000005
【図４】
2015193395.tif 000006
【図５】
2015193395.tif 000007
【図６】
2015193395.tif 000008